(57)【要約】      （修正有）【課題】  装置同士の混信を確実に防止することができ、且つ操作性を向上させることができる電子内視鏡装置を提供する。【解決手段】  電子内視鏡装置２の電子内視鏡１０、およびプロセッサ装置１１は、予め複数のチャネルが割り当てられた電波１２の送信周波数帯域、および受信周波数帯域を第１の周波数帯域と第２の周波数帯域とに切り替える送信周波数帯域切り替え回路、および受信周波数帯域切り替え回路と、使用可能な空きチャネルを検知する第１、第２空きチャネル検知回路とをそれぞれ有し、送信周波数帯域切り替え回路、および受信周波数帯域切り替え回路は、第１、第２空きチャネル検知回路の検知結果に応じて、送信周波数帯域、および受信周波数帯域を自動的に切り替える。【選択図】        図１
2006271432.tif 000002
【特許請求の範囲】
【請求項１】
体腔内の被観察体像を撮影する撮像素子により取得される内視鏡画像を電波として送信する電子内視鏡と、電波を受信して前記内視鏡画像を生成するプロセッサ装置とからなる電子内視鏡装置であって、
前記電子内視鏡、および前記プロセッサ装置は、予め複数のチャネルが割り当てられた電波の送信周波数帯域、および受信周波数帯域を多段に切り替える送信周波数帯域切り替え手段、および受信周波数帯域切り替え手段と、
使用可能な空きチャネルを検知する空きチャネル検知手段とをそれぞれ有し、
前記送信周波数帯域切り替え手段、および前記受信周波数帯域切り替え手段は、前記空きチャネル検知手段の検知結果に応じて、前記送信周波数帯域、および前記受信周波数帯域を自動的に切り替えることを特徴とする電子内視鏡装置。
【請求項２】
前記電子内視鏡の空きチャネル検知手段は、チャネルの割り当てを要求するチャネル割り当て要求信号、および自らのチャネルの使用状況を示す使用状況通知信号を、前記プロセッサ装置の空きチャネル検知手段に送信し、
前記プロセッサ装置の空きチャネル検知手段は、前記チャネル割り当て要求信号を受けて、前記使用状況通知信号によるチャネルの使用状況に基づいて、空きチャネルの番号を示すチャネル番号通知信号を、前記電子内視鏡の空きチャネル検知手段に送信することを特徴とする請求項１に記載の電子内視鏡装置。
【発明の詳細な説明】
【技術分野】
【０００１】
本発明は、電子内視鏡とプロセッサ装置とからなり、これらの間で電波によって信号の遣り取りを行う電子内視鏡装置に関する。
【背景技術】
【０００２】
従来から、医療分野において、電子内視鏡を利用した医療診断が盛んに行われている。電子内視鏡の体腔内に挿入される挿入部先端には、ＣＣＤなどの撮像素子が内蔵されており、このＣＣＤにより取得した撮像信号に対して、プロセッサ装置で信号処理を施すことで、モニタで体腔内の画像（内視鏡画像）を観察することができる。
【０００３】
普通、電子内視鏡とプロセッサ装置とは、信号ケーブルにより接続されているが、信号を変調する変調部、および信号を電波で送信する送信部を電子内視鏡に、電波を受信する受信部、および電波を元の信号に復調する復調部をプロセッサ装置にそれぞれ設けて、電波によって信号の遣り取りを行えるようにし、信号ケーブルを取り除いて電子内視鏡の操作性を向上させた、いわゆるワイヤレス電子内視鏡装置も考案されている（特許文献１参照）。
【０００４】
ワイヤレス電子内視鏡装置は、上述の如く、電子内視鏡の使用時に、信号ケーブルによる操作の制約がなくなり、操作性が向上する。そのうえ、信号ケーブルを用いた従来の電子内視鏡装置では、患者回路と二次回路との間で約４ｋＶの絶縁耐圧を維持することが必須となるが、ワイヤレス電子内視鏡装置では、電子内視鏡とプロセッサ装置との間に信号ケーブルによる電気的接続が存在しないため、上記のように高い絶縁耐圧を維持する構成が不要となる。
【特許文献１】特開２００１−２５１６１２号公報
【発明の開示】
【発明が解決しようとする課題】
【０００５】
ところで、電子内視鏡装置は、例えば病院内の内視鏡室をパーテーションなどで仕切った複数の検査室にそれぞれプロセッサ装置を設置して、同時に複数の患者の内視鏡診断が可能なように、内視鏡室という空間内に複数台設置されて使用されることが多い。このため、上記のようなワイヤレス電子内視鏡装置の分野では、装置同士の混信を避ける工夫が必要である。また、医療機器の無線伝送で使用可能な周波数帯域に制約があるため、この周波数帯域に対応した方式で信号の送受信を行う必要がある。
【０００６】
しかしながら、特許文献１に記載の技術は、信号の送受信周波数帯域としてテレビ放送チャネル周波数を用いており、医療機器として無線伝送の要件を満たしていないばかりでなく、装置同士の混信という問題への対処が何らなされていない。
【０００７】
本発明は、上記課題を鑑みてなされたものであり、装置同士の混信を確実に防止することができ、且つ操作性を向上させることができる電子内視鏡装置を提供することを目的とする。
【課題を解決するための手段】
【０００８】
上記目的を達成するために、本発明は、体腔内の被観察体像を撮影する撮像素子により取得される内視鏡画像を電波として送信する電子内視鏡と、電波を受信して前記内視鏡画像を生成するプロセッサ装置とからなる電子内視鏡装置であって、前記電子内視鏡、および前記プロセッサ装置は、予め複数のチャネルが割り当てられた電波の送信周波数帯域、および受信周波数帯域を多段に切り替える送信周波数帯域切り替え手段、および受信周波数帯域切り替え手段と、使用可能な空きチャネルを検知する空きチャネル検知手段とをそれぞれ有し、前記送信周波数帯域切り替え手段、および前記受信周波数帯域切り替え手段は、前記空きチャネル検知手段の検知結果に応じて、前記送信周波数帯域、および前記受信周波数帯域を自動的に切り替えることを特徴とする。
【０００９】
なお、前記電子内視鏡の空きチャネル検知手段は、チャネルの割り当てを要求するチャネル割り当て要求信号、および自らのチャネルの使用状況を示す使用状況通知信号を、前記プロセッサ装置の空きチャネル検知手段に送信し、前記プロセッサ装置の空きチャネル検知手段は、前記チャネル割り当て要求信号を受けて、前記使用状況通知信号によるチャネルの使用状況に基づいて、空きチャネルの番号を示すチャネル番号通知信号を、前記電子内視鏡の空きチャネル検知手段に送信することが好ましい。
【発明の効果】
【００１０】
本発明の電子内視鏡装置によれば、電子内視鏡、およびプロセッサ装置は、予め複数のチャネルが割り当てられた電波の送信周波数帯域、および受信周波数帯域を多段に切り替える送信周波数帯域切り替え手段、および受信周波数帯域切り替え手段と、使用可能な空きチャネルを検知する空きチャネル検知手段とをそれぞれ有し、送信周波数帯域切り替え手段、および受信周波数帯域切り替え手段は、空きチャネル検知手段の検知結果に応じて、送信周波数帯域、および受信周波数帯域を自動的に切り替えるので、装置同士の混信を確実に防止することができ、且つ操作性を向上させることができる。
【発明を実施するための最良の形態】
【００１１】
図１において、本発明を適用した電子内視鏡装置２は、電子内視鏡１０、およびプロセッサ装置１１から構成される。この電子内視鏡装置２は、電子内視鏡１０とプロセッサ装置１１との信号の遣り取りを、予め複数のチャネルが割り当てられた第１または第２の周波数帯域（例えば、１．２ＧＨｚまたは２．４ＧＨｚ）をもつ電波１２にて行う、いわゆるワイヤレス電子内視鏡装置である。
【００１２】
電子内視鏡１０は、体腔内に挿入される挿入部１３と、挿入部１３の基端部分に連設された操作部１４とを備えている。挿入部１３の先端に連設された先端部１３ａには、体腔内の被観察体像の像光を取り込むための対物レンズ１５と、体腔内の被観察体像を撮影する撮像素子としてのＣＣＤ１６、および照射レンズ１７と体腔内照明用のＬＥＤ光源（ＬＥＤ）１８（ともに図２参照）が内蔵されている。ＣＣＤ１６により取得された体腔内の画像は、プロセッサ装置１１に接続されたモニタ１９に内視鏡画像として表示される。
【００１３】
先端部１３ａの後方には、複数の湾曲駒を連結した湾曲部２０が設けられている。この湾曲部２０は、操作部１４に設けられたアングルノブ１４ａが操作されて、挿入部１３内に挿設されたワイヤが押し引きされることにより、上下左右方向に湾曲動作し、先端部１３ａが体腔内の所望の方向に向けられるようになっている。
【００１４】
操作部１４の下方には、水が貯留される貯水タンク２１と、エアーが貯留されるエアーボンベ２２とが内蔵されたカートリッジ２３が着脱自在に取り付けられている。これら貯水タンク２１、エアーボンベ２２に貯留された水、エアーは、操作部１４の送水／送気ボタン１４ｂの操作に連動して、電子内視鏡１０内部に配設された送水パイプ、送気パイプを通って、先端部１３ａに形成された洗浄ノズル（図示せず）から対物レンズ１５に向けて噴射される。これにより、対物レンズ１５表面に付着した汚物などの除去や、体腔内への送気を行うことが可能となっている。ここで、カートリッジ２３は、電子内視鏡１０を使用する際に操作者の手の付け根が当接する位置に取り付けられており、電子内視鏡１０の操作性を安定化させる役割も果たしている。なお、符号２４は、処置具が挿通される鉗子口である。
【００１５】
図２において、ＣＰＵ３０は、電子内視鏡１０の全体の動作を統括的に制御する。ＣＰＵ３０には、電子内視鏡１０の動作を制御するための各種プログラムやデータが記憶されたＲＯＭ３１が接続されている。ＣＰＵ３０は、このＲＯＭ３１から必要なプログラムやデータを読み出し、電子内視鏡１０の動作制御を行う。
【００１６】
ＬＥＤ１８には、駆動部３２が接続されている。駆動部３２は、ＣＰＵ３０の制御の下に、ＬＥＤ１８をオン／オフ駆動させる。ＬＥＤ１８から発せられた光は、照射レンズ１７を介して体腔内の被観察体に照射される。なお、先端部１３ａではなく操作部１４の内部にＬＥＤ１８を配し、ライトガイドで先端部１３ａに導光する構成としてもよい。
【００１７】
ＣＣＤ１６は、対物レンズ１５から入射した体腔内の被観察体像の像光を撮像面に結像させ、各画素からこれに応じた撮像信号を出力する。ＡＦＥ３３は、ＣＣＤ１６から入力された撮像信号に対して、相関二重サンプリング、増幅、およびＡ／Ｄ変換を施して、撮像信号をデジタルの画像信号に変換する。
【００１８】
変調部３４は、ＡＦＥ３３から出力されたデジタルの画像信号に対して、例えばデジタル直交変調を施してＲＦ信号を生成する。送信部３５は、詳しくは後述するように、アンテナ３６を介して、変調部３４で生成されたＲＦ信号を、第１または第２の周波数帯域をもつ電波１２としてプロセッサ装置１１に送信する。
【００１９】
コネクタ３７には、バッテリ３８が接続されている。バッテリ３８の電力は、ＣＰＵ３０により制御される電力供給部３９から、電子内視鏡１０の各部に供給される。なお、図１には示していないが、操作部１４の後部には、バッテリ３８を収納するバッテリ収納室が設けられており、コネクタ３７はその内部に配されている。
【００２０】
図３において、送信部３５には、第１周波数帯域用送信回路４０、第２周波数帯域用送信回路４１、送信周波数帯域切り替え回路４２、および第１空きチャネル検知回路４３が設けられている。第１周波数帯域用送信回路４０、および第２周波数帯域用送信回路４１は、変調部３４で生成されたＲＦ信号をプロセッサ装置１１で受信可能な電力レベルにまで増幅する電力増幅器や、電子内視鏡装置２で採用されているＴＤＭＡ（Time Division Multiple Access；時分割多重接続）方式のチャネルバーストタイミングに合わせてオン／オフ駆動するＲＦ−スイッチ、ＲＦ信号をそれぞれの周波数帯域の電波１２としてアンテナ３６に給電するサーキュレータなどから構成される。
【００２１】
送信周波数帯域切り替え回路４２は、第１周波数帯域用送信回路４０、および第２周波数帯域用送信回路４１に接続されており、第１空きチャネル検知回路４３の検知結果に応じて、使用する送信回路を自動的に切り替える。初期設定では、この送信周波数帯域切り替え回路４２により、第２周波数帯域用送信回路４１が選択されている。
【００２２】
第１空きチャネル検知回路４３は、電子内視鏡１０の使用開始時（電子内視鏡１０の電源がオンされたとき）に、チャネルの割り当てを要求するチャネル割り当て要求信号Ｓａを、プロセッサ装置１１の第２空きチャネル検知回路６３（図５参照）に送信する。また、自らのチャネルの使用状況を示す使用状況通知信号Ｓｂを、第２空きチャネル検知回路６３に送信する。さらに、空きチャネルの番号を示すチャネル番号通知信号Ｓｃを、第２空きチャネル検知回路６３から受信する。第１空きチャネル検知回路４３は、このチャネル番号通知信号Ｓｃによる空きチャネルの検知結果を、ＣＰＵ３０および送信周波数帯域切り替え回路４２に送信する。
【００２３】
図４において、ＣＰＵ５０は、プロセッサ装置１１の全体の動作を統括的に制御する。ＣＰＵ５０には、プロセッサ装置１１の動作を制御するための各種プログラムやデータが記憶されたＲＯＭ５１が接続されている。ＣＰＵ５０は、このＲＯＭ５１から必要なプログラムやデータを読み出し、プロセッサ装置１１の動作制御を行う。
【００２４】
アンテナ５２は、電子内視鏡１０からの電波１２を受信する。受信部５３は、詳しくは後述するように、アンテナ５２で受信された電波１２、すなわちＲＦ信号を増幅する。復調部５４は、ＲＦ信号に対して、例えばデジタル直交検波を施して、ＲＦ信号を電子内視鏡１０で変調される前の画像信号に復調する。
【００２５】
同期分離部５５は、ＣＰＵ５０の制御の下に、復調部５４で復調された画像信号から、振幅分離によって同期信号を分離し、 続いて周波数分離により水平同期信号と垂直同期信号とを分離する。ビデオ信号処理部５６は、画像信号からデジタルのビデオ信号を生成する。画像処理部５７は、ビデオ信号処理部５６で生成されたビデオ信号に対して、マスク生成やキャラクタ情報付加などの各種画像処理を施す。バッファ５８は、画像処理部５７で各種画像処理が施され、モニタ１９に内視鏡画像として表示されるビデオ信号を一旦格納する。
【００２６】
図５において、受信部５３には、第１周波数帯域用受信回路６０、第２周波数帯域用受信回路６１、受信周波数帯域切り替え回路６２、および第２空きチャネル検知回路６３が設けられている。第１周波数帯域用受信回路６０、および第２周波数帯域用受信回路６１は、アンテナ５２で受信された電波を供給するサーキュレータや、ＲＦ−スイッチ、ＲＦ信号を増幅する低雑音増幅器などから構成される。
【００２７】
受信周波数帯域切り替え回路６２は、第１周波数帯域用受信回路６０、および第２周波数帯域用受信回路６１に接続されており、第２空きチャネル検知回路６３の検知結果に応じて、使用する受信回路を自動的に切り替える。電子内視鏡１０と同様に、初期設定では、この受信周波数帯域切り替え回路６２により、第２周波数帯域用受信回路６１が選択されている。
【００２８】
第２空きチャネル検知回路６３は、第１空きチャネル検知回路４３からのチャネル割り当て要求信号Ｓａを受けて、使用状況通知信号Ｓｂによるチャネルの使用状況に基づいて、空きチャネルの番号を示すチャネル番号通知信号Ｓｃを、第１空きチャネル検知回路４３に送信する。第２空きチャネル検知回路６３は、チャネル番号通知信号Ｓｃによる空きチャネルの検知結果を、ＣＰＵ５０および受信周波数帯域切り替え回路６２に送信する。なお、これらの信号Ｓａ〜Ｓｃの遣り取りは、第１、第２の各周波数帯域に割り当てられたチャネルとは別のチャネル（０チャネル）を用いて行われる。特に、使用状況通知信号Ｓｂは、一定の時間間隔で第１空きチャネル検知回路４３から発せられている。
【００２９】
上記のように構成された電子内視鏡装置２で体腔内の被観察体を観察する際には、挿入部１３を体腔内に挿入して、ＬＥＤ光源１８をオンして体腔内を照明しながら、ＣＣＤ１６による内視鏡画像をモニタ１９で観察する。
【００３０】
このとき、対物レンズ１５から入射した体腔内の被観察体像の像光は、ＣＣＤ１６の撮像面に結像され、ＣＣＤ１６から撮像信号が出力される。ＣＣＤ１６から出力された撮像信号は、ＡＦＥ３３で相関二重サンプリング、増幅、およびＡ／Ｄ変換が施され、デジタルの画像信号に変換される。
【００３１】
ＡＦＥ３３から出力されたデジタルの画像信号は、変調部３４でデジタル直交変調が施され、ＲＦ信号が生成される。ＲＦ信号は、送信部３５で増幅され、アンテナ３６から電波１２として送信される。
【００３２】
一方、プロセッサ装置１１では、電子内視鏡１０のアンテナ３６から送信された電波１２がアンテナ５２で受信されると、この電波１２、すなわちＲＦ信号が受信部５３で増幅される。復調部５４では、受信部５３で増幅されたＲＦ信号にデジタル直交検波が施され、電子内視鏡１０で変調される前の画像信号が復調される。
【００３３】
復調部５４で復調された画像信号は、ＣＰＵ５０の制御の下に、同期分離部５５で同期分離が施され、ビデオ信号処理部５６でデジタルのビデオ信号として出力される。ビデオ信号処理部５６で出力されたビデオ信号は、画像処理部５７で各種画像処理が施され、バッファ５８に一旦格納されて、モニタ１９に内視鏡画像として表示される。以上のようにして、電子内視鏡１０とプロセッサ装置１１との間で、電波１２により信号が送受信される。
【００３４】
以下、図６〜図８を参照して、上記構成を有する電子内視鏡装置２のチャネル割り当ての処理手順について説明する。なお、ここでは、第１、第２周波数帯域用送信回路４０、４１、および第１、第２周波数帯域用送信回路６０、６１には、５個のチャネル（チャネル１〜５）が割り当てられているものとして説明を行うが、チャネル数はこれに限定されることなく、使用可能な周波数帯域やチャネルのバンド幅に応じて適宜変更される。また、第１、第２の周波数帯域を逓倍波の関係とすることで、電子内視鏡１０およびプロセッサ装置１１は、複数の周波数帯域の電波１２の送受信をそれぞれ唯一のアンテナ３６、５２で行うことが可能となる。
【００３５】
いま、図６に示すように、内視鏡室７０は、パーテーションなどで仕切られた複数の検査室７０ａ〜７０ｅに分かれており、各検査室７０ａ〜７０ｅ内には、電子内視鏡１０ａ〜１０ｅ、およびプロセッサ装置１１ａ〜１１ｅからなる計５台の電子内視鏡装置２ａ〜２ｅが設置されている。電子内視鏡装置２ａ〜２ｄまでは使用状態であり、第２の周波数帯域のチャネル１〜４は既に使用されていて、電子内視鏡１０ｅをプロセッサ装置１１ｅに無線接続して内視鏡診断を行おうとした場合を考える。なお、以下の説明では、電子内視鏡装置２ａ〜２ｅの各部を記載する際には、便宜上、符号の数字の後にａ〜ｅをつけて区別する。
【００３６】
図７に示すように、電子内視鏡１０ｅの電源がオンされると、電子内視鏡１０ｅの第１空きチャネル検知回路４３ｅから、プロセッサ装置１１ｅの第２空きチャネル検知回路６３ｅにチャネル割り当て要求信号Ｓａが送信され、待機状態となる。
【００３７】
第２空きチャネル検知回路６３ｅからのチャネル番号通知信号Ｓｃが、第１空きチャネル検知回路４３ｅで受信されると、チャネル番号通知信号Ｓｃによる空きチャネル検知結果（この場合は第２の周波数帯域のチャネル５）がＣＰＵ３０ｅおよび送信周波数帯域切り替え回路４２ｅに送信される。
【００３８】
上記のように、空きチャネルが第２の周波数帯域に割り当てられたものであった場合、送信周波数帯域切り替え回路４２ｅは作動されず、初期設定の第２周波数帯域用送信回路４１ｅのままで、検知された空きチャネル、つまり第２の周波数帯域のチャネル５が使用されて内視鏡診断が開始される。
【００３９】
上述のように、第２の周波数帯域にはチャネル１〜５が割り当てられており、第２の周波数帯域では５台の電子内視鏡１０ａ〜１０ｅを同時に使用することが可能となっている。これに対して、５台目の電子内視鏡１０ｅが第２の周波数帯域のチャネル５で使用されていて、６台目の電子内視鏡１０ｆを使用する場合など、第２の周波数帯域に空きチャネルがない場合には、第２空きチャネル検知回路６３ｅからのチャネル番号通知信号Ｓｃが、第１空きチャネル検知回路４３ｅで受信されると、チャネル番号通知信号Ｓｃによる空きチャネル検知結果（この場合は第１の周波数帯域のチャネル１）がＣＰＵ３０ｅおよび送信周波数帯域切り替え回路４２ｅに送信される。
【００４０】
上記のように、空きチャネルが第１の周波数帯域に割り当てられたものであった場合、送信周波数帯域切り替え回路４２ｅにより、第２周波数帯域用送信回路４１ｅから第１周波数帯域用送信回路４０ｅに送信回路が切り替えられ、検知された空きチャネル、つまり第１の周波数帯域のチャネル１が使用されて内視鏡診断が開始される。
【００４１】
一方、プロセッサ装置１１ｅでは、図８に示すように、電源の投入とともに電子内視鏡１０ａ〜１０ｄの第１空きチャネル検知回路４３ａ〜４３ｄから一定時間間隔で送信される使用状況通知信号Ｓｂ（第２の周波数帯域のチャネル１〜４が使用されていることを通知する信号）が、第２空きチャネル検知回路６３ｅで受信される。この状態で、第１空きチャネル検知回路４３ｅからのチャネル割り当て要求信号Ｓａが受信されると、第２空きチャネル検知回路６３ｅでは、使用状況通知信号Ｓｂによるチャネルの使用状況に基づいて、第２の周波数帯域で空きチャネルがチェックされる。
【００４２】
第２の周波数帯域で空きチャネルがあった場合、第２空きチャネル検知回路６３ｅから第１空きチャネル検知回路４３ｅに、空きチャネルの検知結果に応じたチャネル番号通知信号Ｓｃ（第２の周波数帯域のチャネル５が空いている旨を通知する信号）が送信される。このとき、受信周波数帯域切り替え回路６２は作動されず、初期設定の第２周波数帯域用受信回路６１ｅのままで、プロセッサ装置１１ｅは、検知された空きチャネル、つまり第２の周波数帯域のチャネル５で電子内視鏡１０ｅからの電波１２ｅの受信を待機する状態となる。
【００４３】
対して、５台目の電子内視鏡１０ｅが第２の周波数帯域のチャネル５で使用されていて、６台目の電子内視鏡１０ｆを使用する場合には、第２の周波数帯域に空きチャネルがないため、第２空きチャネル検知回路６３ｅでは、使用状況通知信号Ｓｂによるチャネルの使用状況に基づいて、第１の周波数帯域で空きチャネルがチェックされる。
【００４４】
第１の周波数帯域で空きチャネルがあった場合、第２空きチャネル検知回路６３ｅから第１空きチャネル検知回路４３ｅに、空きチャネルの検知結果に応じたチャネル番号通知信号Ｓｃ（第１の周波数帯域のチャネル１が空いている旨を通知する信号）が送信される。このとき、受信周波数帯域切り替え回路６２ｅにより、第２周波数帯域用受信回路６１ｅから第１周波数帯域用受信回路６０ｅに受信回路が切り替えられ、プロセッサ装置１１ｅは、検知された空きチャネル、つまり第１の周波数帯域のチャネル１で電子内視鏡１０ｅからの電波１２ｅの受信を待機する状態となる。
【００４５】
第１の周波数帯域にも空きチャネルがなかった場合には、プロセッサ装置１１ｅは、再び使用状況通知信号Ｓｃを受信する状態に戻る。そして、使用している何れかの電子内視鏡の検査が終了し、その電子内視鏡の電源がオフされると、その電子内視鏡が使用していたチャネルが空くこととなり、その旨を表す使用状況通知信号Ｓｂがプロセッサ装置１１ｅで受信されて、電子内視鏡１０ｅからのチャネル割り当て要求信号Ｓａに対して、空いたチャネルの番号を表すチャネル番号通知信号Ｓｃが、プロセッサ装置１１ｅから電子内視鏡１０ｅに送信されることとなる。
【００４６】
以上詳細に説明したように、電子内視鏡装置２の電子内視鏡１０、およびプロセッサ装置１１は、予め複数のチャネルが割り当てられた電波１２の送信周波数帯域、および受信周波数帯域を第１の周波数帯域と第２の周波数帯域とに切り替える送信周波数帯域切り替え回路４２、および受信周波数帯域切り替え回路６２と、使用可能な空きチャネルを検知する第１、第２空きチャネル検知回路４３、６３とをそれぞれ有し、送信周波数帯域切り替え回路４２、および受信周波数帯域切り替え回路６２は、第１、第２空きチャネル検知回路４３、６３の検知結果に応じて、送信周波数帯域、および受信周波数帯域を自動的に切り替えるので、装置同士の混信を確実に防止することができ、且つ操作性を向上させることができる。
【図面の簡単な説明】
【００４７】
【図１】電子内視鏡装置の構成を示す概略図である。
【図２】電子内視鏡の内部構成を示すブロック図である。
【図３】送信部の内部構成を示すブロック図である。
【図４】プロセッサ装置の内部構成を示すブロック図である。
【図５】受信部の内部構成を示すブロック図である。
【図６】内視鏡室内に５台の電子内視鏡装置が設置された様子を示す説明図である。
【図７】電子内視鏡におけるチャネル割り当ての処理手順を示すフローチャートである。
【図８】プロセッサ装置におけるチャネル割り当ての処理手順を示すフローチャートである。
【符号の説明】
【００４８】
２  電子内視鏡装置
１０  電子内視鏡
１１  プロセッサ装置
１２  電波
１６  ＣＣＤ
１９  モニタ
３０  ＣＰＵ
３５  送信部
４２  送信周波数帯域切り替え回路
４３  第１空きチャネル検知回路
５０  ＣＰＵ
５３  受信部
６２  受信周波数帯域切り替え回路
６３  第２空きチャネル検知回路
Ｓａ  チャネル割り当て要求信号
Ｓｂ  使用状況通知信号
Ｓｃ  チャネル番号通知信号
【図１】
2006271432.tif 000003
【図２】
2006271432.tif 000004
【図３】
2006271432.tif 000005
【図４】
2006271432.tif 000006
【図５】
2006271432.tif 000007
【図６】
2006271432.tif 000008
【図７】
2006271432.tif 000009
【図８】
2006271432.tif 000010